(57)【要約】【課題】音源の側方及び下方、並びに音源〜吸音パネルの延長線上のそれぞれに対して、減音効果が得られる吸音パネルを提供すること。【解決手段】防音壁の最上段に設置される吸音パネル１であって、音源側に向けられる正面部１１、背面部１２、及び吸音パネル１の上部に位置される天面部１４を有する外装材１０と、外装材１０に内装され、正面部１１と背面部１２との間に位置して上下方向に設けられた縦仕切材２２と、外装材１０に内装された吸音材２ａ、２ｂと、を備える。正面部１１の全体及び背面部１２の全体には、第１開口部１６ａ及び第２開口部１６ｂが設けられている。さらに、第３開口部１６ｃが、天面部１４に設けられている。【選択図】図２
2020133281.tif 000002
【特許請求の範囲】
【請求項１】
防音壁の最上段に設置される吸音パネルであって、
音源側に向けられる正面部、背面部、及び前記吸音パネルの上部に位置される天面部を有する外装材と、
前記外装材に内装され、前記正面部と前記背面部との間に位置して上下方向に設けられた縦仕切材と、
前記外装材に内装された吸音材と、を備え、
第１開口部及び第２開口部が、それぞれ前記正面部の全体及び前記背面部の全体に設けられ、
第３開口部が、前記天面部に設けられていること
を特徴とする吸音パネル。
【請求項２】
前記外装材は、前記天面部に対して前記上下方向に対向した底面部を有し、
前記縦仕切材は、前記底面部に接して前記外装材に内装されて、前記天面部と前記底面部との間の途中まで設けられていること
を特徴とする請求項１に記載の吸音パネル。
【請求項３】
前記吸音材は、
第１吸音材と、
第２吸音材とを有し、
前記第１吸音材は、前記正面部と前記縦仕切材との間に位置し、
前記第２吸音材は、前記背面部と前記縦仕切材との間に位置すること
を特徴とする請求項１又は２に記載の吸音パネル。
【請求項４】
前記第１吸音材及び前記第２吸音材それぞれの少なくとも前記天面部と対向する表面が、通気性を有する撥水部材で覆われていること
を特徴とする請求項３に記載の吸音パネル。
【請求項５】
前記第１吸音材及び前記第２吸音材のそれぞれは、前記天面部と接すること
を特徴とする請求項３又は４に記載の吸音パネル。
【請求項６】
前記外装材は、前記天面部に対して前記上下方向に対向した底面部を有し、
前記縦仕切材は、前記底面部に接して前記外装材に内装されて、前記天面部と前記底面部との間の途中まで設けられ、
前記吸音材は、
単一吸音材から成り、
前記単一吸音材は、前記縦仕切材の上面と前記天面部との間を介して曲折されて、前記正面部と前記縦仕切材との間、前記縦仕切材の上面と前記天面部との間、及び前記背面部と前記縦仕切材との間のそれぞれに位置すること
を特徴とする請求項１に記載の吸音パネル。
【請求項７】
前記単一吸音材の少なくとも前記天面部と対向する表面が、通気性を有する撥水部材で覆われていること
を特徴とする請求項６に記載の吸音パネル。
【請求項８】
前記単一吸音材は、前記天面部と接すること
を特徴とする請求項６又は７に記載の吸音パネル。
【請求項９】
前記外装材は、前記天面部に対して前記上下方向に対向した底面部を有し、
前記縦仕切材は、前記底面部に接して前記外装材に内装されて、前記天面部と前記底面部との間の途中まで設けられ、
前記吸音材は、
第３吸音材を有し、
前記第３吸音材は、前記第１吸音材の上面、前記縦仕切材の上面、及び前記第２吸音材の上面のそれぞれと前記天面部との間に位置すること
を特徴とする請求項３に記載の吸音パネル。
【請求項１０】
前記外装材の中に、平面方向に設けられた横仕切材を有し、
前記横仕切材は、少なくとも前記第１吸音材の上面と、前記第３吸音材の下面との間に位置すること
を特徴とする請求項９に記載の吸音パネル。
【請求項１１】
前記吸音パネルの上部には、下部より背面側に突出する張出部が設けられ、
前記第３吸音材は、前記張出部に配置されていること
を特徴とする請求項９又は１０に記載の吸音パネル。
【請求項１２】
前記第３吸音材は、前記第１吸音材及び前記第２吸音材のそれぞれより密度が大きいこと
を特徴とする請求項９〜１１のいずれか１項に記載の吸音パネル。
【請求項１３】
前記第３吸音材の少なくとも前記天面部と対向する表面が、通気性を有する撥水部材で覆われていること
を特徴とする請求項９〜１２のいずれか１項に記載の吸音パネル。
【請求項１４】
前記第３吸音材は、前記天面部と接すること
を特徴とする請求項９〜１３のいずれか１項に記載の吸音パネル。
【請求項１５】
前記第１開口部は、ルーバー形状であること
を特徴とする請求項１〜１４のいずれか１項に記載の吸音パネル。
【発明の詳細な説明】
【技術分野】
【０００１】
この発明は、吸音パネルに関する。
【背景技術】
【０００２】
防音壁の最上段に設置された吸音パネルは、音源側から発せられた音のうち、壁間の反射音だけでなく、防音壁の上側から廻り込む音（回折音）を減衰させる。これにより、受音側となる防音壁の背面側の騒音を減らすことができる。吸音パネルの例としては、特許文献１〜４が知られている。
【先行技術文献】
【特許文献】
【０００３】
【特許文献１】特開２０１４−１０１７４７号公報
【特許文献２】国際公開第２０１５／１１４９２９号
【特許文献３】特開２０１７−２２７６８０号公報
【特許文献４】特開２０１６−２１１３４４号公報
【発明の概要】
【発明が解決しようとする課題】
【０００４】
特許文献１〜４に記載の吸音パネルは、いずれも防音壁の最上段に設置される。特許文献１〜４に記載の吸音パネルでは、音源側となる正面部と、受音側となる背面部とのそれぞれに、音挿通孔が多数設けられた音透過面が設けられている。特許文献１〜４は、いずれも「エッジ効果抑制技術」を利用したものであり、吸音パネルの上縁近傍で回折した回折音を、音挿通孔を通じて吸音して減衰させ、減音効果の更なる向上を狙ったものである。
【０００５】
しかし、特許文献１〜４に記載の吸音パネルでは、いずれも正面部及び背面部の全体が音透過面となっており、回折音は低減できても、吸音パネルを透過してしまう音（透過音）を低減することができない。このため、音源と、防音壁の最上段に設置された吸音パネルとを結ぶ延長線上に受音点があった場合、この受音点では騒音を低減できない、という事情があった。
【０００６】
この発明は、上記事情に鑑みて為されたもので、その目的は、音源の側方及び下方、並びに音源〜防音壁の最上段に設置された吸音パネルの延長線上のそれぞれの受音点に対して、減音効果が得られる吸音パネルを提供することにある。
【課題を解決するための手段】
【０００７】
第１発明に係る吸音パネルは、防音壁の最上段に設置される吸音パネルであって、音源側に向けられる正面部、背面部、及び前記吸音パネルの上部に位置される天面部を有する外装材と、前記外装材に内装され、前記正面部と前記背面部との間に位置して上下方向に設けられた縦仕切材と、前記外装材に内装された吸音材と、を備え、第１開口部及び第２開口部が、それぞれ前記正面部の全体及び前記背面部の全体に設けられ、第３開口部が、前記天面部に設けられていることを特徴とする。
【０００８】
第２発明に係る吸音パネルは、第１発明において、前記外装材は、前記天面部に対して前記上下方向に対向した底面部を有し、前記縦仕切材は、前記底面部に接して前記外装材に内装されて、前記天面部と前記底面部との間の途中まで設けられていることを特徴とする。
【０００９】
第３発明に係る吸音パネルは、第１発明又は第２発明において、前記吸音材は、第１吸音材と、第２吸音材とを有し、前記第１吸音材は、前記正面部と前記縦仕切材との間に位置し、前記第２吸音材は、前記背面部と前記縦仕切材との間に位置することを特徴とする。
【００１０】
第４発明に係る吸音パネルは、第３発明において、前記第１吸音材及び前記第２吸音材それぞれの少なくとも前記天面部と対向する表面が、通気性を有する撥水部材で覆われていることを特徴とする。
【００１１】
第５発明に係る吸音パネルは、第３発明又は第４発明において、前記第１吸音材及び前記第２吸音材のそれぞれは、前記天面部と接することを特徴とする。
【００１２】
第６発明に係る吸音パネルは、第１発明において、前記外装材は、前記天面部に対して前記上下方向に対向した底面部を有し、前記縦仕切材は、前記底面部に接して前記外装材に内装されて、前記天面部と前記底面部との間の途中まで設けられ、前記吸音材は、単一吸音材から成り、前記単一吸音材は、前記縦仕切材の上面と前記天面部との間を介して曲折されて、前記正面部と前記縦仕切材との間、前記縦仕切材の上面と前記天面部との間、及び前記背面部と前記縦仕切材との間のそれぞれに位置することを特徴とする。
【００１３】
第７発明に係る吸音パネルは、第６発明において、前記単一吸音材の少なくとも前記天面部と対向する表面が、通気性を有する撥水部材で覆われていることを特徴とする。
【００１４】
第８発明に係る吸音パネルは、第６発明又は第７発明において、前記単一吸音材は、前記天面部と接することを特徴とする。
【００１５】
第９発明に係る吸音パネルは、第３発明において、前記外装材は、前記天面部に対して前記上下方向に対向した底面部を有し、前記縦仕切材は、前記底面部に接して前記外装材に内装されて、前記天面部と前記底面部との間の途中まで設けられ、前記吸音材は、第３吸音材を有し、前記第３吸音材は、前記第１吸音材の上面、前記縦仕切材の上面、及び前記第２吸音材の上面のそれぞれと前記天面部との間に位置することを特徴とする。
【００１６】
第１０発明に係る吸音パネルは、第９発明において、前記外装材の中に、平面方向に設けられた横仕切材を有し、前記横仕切材は、少なくとも前記第１吸音材の上面と、前記第３吸音材の下面との間に位置することを特徴とする。
【００１７】
第１１発明に係る吸音パネルは、第９発明又は第１０発明において、前記吸音パネルの上部には、下部より背面側に突出する張出部が設けられ、前記第３吸音材は、前記張出部に配置されていることを特徴とする。
【００１８】
第１２発明に係る吸音パネルは、第９発明〜第１１発明のいずれか１つにおいて、前記第３吸音材は、前記第１吸音材及び前記第２吸音材のそれぞれより密度が大きいことを特徴とする。
【００１９】
第１３発明に係る吸音パネルは、第９発明〜第１２発明のいずれか１つにおいて、前記第３吸音材の少なくとも前記天面部と対向する表面が、通気性を有する撥水部材で覆われていることを特徴とする。
【００２０】
第１４発明に係る吸音パネルは、第９発明〜第１３発明のいずれか１つにおいて、前記第３吸音材は、前記天面部と接することを特徴とする。
【００２１】
第１５発明に係る吸音パネルは、第１発明〜第１４発明のいずれか１つにおいて、前記第１開口部は、ルーバー形状であることを特徴とする。
【発明の効果】
【００２２】
第１〜第１５発明によれば、音源の側方及び下方、並びに音源〜防音壁の最上段に設置された吸音パネルの延長線上のそれぞれの受音点に対して、減音効果が得られる吸音パネルを提供できる。
【図面の簡単な説明】
【００２３】
【図１】図１（ａ）は、この発明の第１実施形態に係る吸音パネルの一例を示す模式正面図である。図１（ｂ）は、この発明の第１実施形態に係る吸音パネルの一例を示す模式背面図である。
【図２】図２は、図１（ａ）、図１（ｂ）及び図３中のII−II線に沿う模式断面図である。
【図３】図３は、この発明の第１実施形態に係る吸音パネルの一例を示す模式上面図である。
【図４】図４は、この発明の第１実施形態に係る吸音パネルが用いられた防音壁の一例を示す模式正面図である。
【図５】図５は、この発明の第１実施形態に係る吸音パネルが用いられた防音壁の一例を示す模式背面図である。
【図６】図６は、参考例に係る吸音パネルを備えた防音壁による遮音の状態を示す模式図である。
【図７】図７は、この発明の第１実施形態に係る吸音パネルを備えた防音壁による遮音の状態を示す模式図である。
【図８】図８は、この発明の第２実施形態に係る吸音パネルの一例を示す模式断面図である。
【図９】図９は、この発明の第３実施形態に係る吸音パネルの一例を示す模式断面図である。
【図１０】図１０は、この発明の第４実施形態に係る吸音パネルの一例を示す模式断面図である。
【図１１】図１１は、この発明の第５実施形態に係る吸音パネルの一例を示す模式断面図である。
【図１２】図１２は、この発明の第６実施形態に係る吸音パネルの一例を示す模式断面図である。
【図１３】図１３（ａ）〜図１３（ｃ）は、この発明の第７実施形態に係る吸音パネルの例を示す模式断面図である。
【図１４】図１４（ａ）〜図１４（ｃ）は、この発明の第８実施形態に係る吸音パネルの例を示す模式断面図である。
【図１５】図１５（ａ）〜図１５（ｃ）は、この発明の第９実施形態に係る吸音パネルの例を示す模式断面図である。
【発明を実施するための形態】
【００２４】
以下、この発明の実施形態のいくつかを、図面を参照しながら説明する。なお、各図において、上下方向を上下方向Ｚとし、上下方向Ｚと交差、例えば直交する１つの平面方向を第１平面方向Ｘとし、上下方向Ｚ及び第１平面方向Ｘのそれぞれと交差、例えば直交する別の平面方向を第２平面方向Ｙとする。また、各図において、共通する部分については、共通する参照符号を付し、重複する説明は省略する。
【００２５】
（第１実施形態）
図１（ａ）は、この発明の第１実施形態に係る吸音パネルの一例を示す模式正面図である。図１（ｂ）は、この発明の第１実施形態に係る吸音パネルの一例を示す模式背面図である。図２は、図１（ａ）、図１（ｂ）及び図３中のII−II線に沿う模式断面図である。図３は、この発明の第１実施形態に係る吸音パネルの一例を示す模式上面図である。
【００２６】
図１（ａ）〜図３に示すように、第１実施形態の一例に係る吸音パネル１は、外装材１０と、縦仕切材２２と、吸音材（２ａ、２ｂ）と、を含む。外装材１０は、例えば、正面板（正面部）１１、背面板（背面部）１２、及び天面部１４を有する。正面板１１は、音源側に向けられる。背面板１２は、受音側に向けられる。天面部１４は、吸音パネル１の上部に位置される。正面板１１と背面板１２とは、第２平面方向Ｙに離れて互いに対向している。正面板１１及び背面板１２の少なくとも１つの上部は、例えば、Ｌ字型に曲げられており、天面部１４を構成している。なお、天面部１４として、天板を別途設けてもよい。正面板１１及び背面板１２の少なくとも１つの下部は、例えば、Ｌ字型に曲げられており、底面部１５を構成している。底面部１５は、天面部１４に対して上下方向Ｚに対向する。なお、底面部１５として、底板を別途設けてもよい。正面板１１の１つの例は、例えば、アルミニウム板である。背面板１２の１つの例は、例えば、高耐候性めっき鋼板である。
【００２７】
縦仕切材２２は、正面板１１、背面板１２、天面部１４、及び底面部１５のそれぞれによって囲まれた空間に配置される。これにより、縦仕切材２２は、外装材１０に内装される。縦仕切材２２は、正面板１１と背面板１２との間に位置して上下方向Ｚに設けられる。吸音パネル１では、縦仕切材２２は、天面部１４及び底面部１５のそれぞれに接する。これにより、外装材１０には、正面板１１、縦仕切材２２、天面部１４、及び底面部１５のそれぞれによって囲まれた第１内装空間と、背面板１２、縦仕切材２２、天面部１４、及び底面部１５のそれぞれによって囲まれた第２内装空間とが得られる。
【００２８】
なお、縦仕切材２２は、金属製の板状部材、ゴム製や鉛製のシート状部材、及び高密度の布製の部材（例えば防音カーテン、遮音カーテン）等を用いることができる。本実施形態では、金属製の板状部材を用いた場合で説明する。
【００２９】
吸音パネル１の吸音材は、第１吸音材２ａと、第２吸音材２ｂと、を含む。第１吸音材２ａは、第１内装空間に配置されて正面板１１と縦仕切材２２との間に位置する。第２吸音材２ｂは、第２内装空間に配置されて背面板１２と縦仕切材２２との間に位置する。これにより、第１吸音材２ａ及び第２吸音材２ｂのそれぞれは、外装材１０に内装される。第１、第２吸音材２ａ及び２ｂは、例えば、ポリエステル繊維不織布や、グラスウールである。
【００３０】
正面板１１には、音を透過させる複数の第１開口部１６ａが設けられている。これら第１開口部１６ａは、正面板１１の全体に設けられている。なお、本明細書において使用する“全体”との文言は、完全な全体を示すばかりでなく、図１（ａ）及び図１（ｂ）に示されるような実質的な又は事実上の全体（略全体）も示すものとする。第１開口部１６ａのそれぞれの平面視した形状は、例えば、円形である。背面板１２には、音を透過させる複数の第２開口部１６ｂが設けられている。これら第２開口部１６ｂは、背面板１２の全体に設けられている。第２開口部１６ｂのそれぞれの平面視した形状は、例えば、円形である。天面部１４には、音を透過させる複数の第３開口部１６ｃが設けられている。これら第３開口部１６ｃは、天面部１４の全体に設けられている。第３開口部１６ｃのそれぞれの平面視した形状は、例えば、円形である。これにより、吸音パネル１では、正面板１１の略全体、背面板１２の略全体、及び天面部１４の略全体のそれぞれが、音を透過させる音透過面となる。
【００３１】
図４は、この発明の第１実施形態に係る吸音パネルが用いられた防音壁の一例を示す模式正面図である。図５は、この発明の第１実施形態に係る吸音パネルが用いられた防音壁の一例を示す模式背面図である。
【００３２】
図４及び図５に示すように、防音壁１００は、吸音パネル１と、中間吸音パネル３と、支柱４と、を含む。支柱４は、例えば、道路の壁高欄１５０等の上に、設計された間隔で立設される。中間吸音パネル３は、支柱４どうしの間に、例えば、第１平面方向Ｘに沿って、かつ、上下方向Ｚに並べられる。吸音パネル１は、中間吸音パネル３を上下方向Ｚに複数段並べた防音壁１００の最上段に設置される。なお、中間吸音パネル３は、第１平面方向Ｘに沿って１段だけ設置されてもよい。また、中間吸音パネル３を省略し、吸音パネル１のみを、第１平面方向Ｘに沿って並べて設置するようにしてもよい。
【００３３】
中間吸音パネル３は、吸音パネル１と同様に、外装材と、吸音材と、を含む。中間吸音パネル３の外装材も、吸音パネル１と同様に、例えば、正面板（正面部）３１、及び背面板（背面部）３２を有する。正面板３１は、音源側に向けられる。背面板３２は、受音側に向けられる。図示せぬ吸音材は、外装材に内装される。正面板３１には、音を透過させる複数の第４開口部３６が設けられている。これら第４開口部３６は、正面板３１に全体的に設けられている。第４開口部３６は、例えば、ルーバー形状である。このような正面板３１に対して、背面板３２には、音を透過させる開口部が設けられていない。これにより、防音壁１００の背面側では、防音壁１００の最上段に設置された吸音パネル１にのみ、音を透過させる第２開口部１６ｂが設けられることとなる。
【００３４】
このような吸音パネル１を備えた防音壁１００によれば、例えば、以下に説明されるような利点を得ることができる。
【００３５】
図６は、参考例に係る吸音パネルを備えた防音壁による遮音の状態を示す模式図である。図７は、この発明の第１実施形態に係る吸音パネルを備えた防音壁による遮音の状態を示す模式図である。防音壁は、例えば、高架橋２００の壁高欄２０１上に設けられている。
【００３６】
図６に示すように、参考例に係る吸音パネル１ｒは、音を透過させる開口部が、正面板１１ｒ及び背面板１２ｒのそれぞれの全体に設けられている。このような吸音パネル１ｒを備えた防音壁１００ｒでは、吸音パネル１ｒの上縁近傍で回折した回折音ＤＳが開口部を介して吸収されることで、回折音ＤＳを減衰させることができる。これにより、防音壁１００ｒの側方及び下方にある受音点Ａ、例えば、防音壁１００ｒの側方及び下方にある建屋３００の住民及び利用者等に対しては、吸音パネル１ｒによる、回折音ＤＳに対する減音効果を得ることができる。
【００３７】
即ち、最上段に設置した吸音パネル１ｒの上縁近傍を回折しようとする回折音ＤＳを低減させる場合、「エッジ効果抑制技術」が利用される。この技術は、音が厚みのある壁を乗り越える時、正面側上縁角部１９ａと背面側上縁角部１９ｂの２箇所を中心とした同心円の波面となり、あたかも同心円の中心に音源がある状態とみなすことができるため、この付近に吸音できる機能を配置することで効果的に音を吸収することができる。
【００３８】
しかしながら、音源ＳＳ〜防音壁１００ｒの最上段に設置された吸音パネル１ｒの延長線Ｉ上においては、透過音ＴＳが発生する。このため、延長線Ｉ上にある受音点Ｂ、例えば、音源（１つの例は、高架橋２００の路面）〜吸音パネルの延長線上にある建屋３５０、例えばマンション、ビル等の住民及び利用者等に対しては、透過音ＴＳに対する減音効果を期待することは、困難である。
【００３９】
このような参考例に対し、第１実施形態に係る吸音パネル１を備えた防音壁１００によれば、図７に示すように、音源ＳＳ〜吸音パネル１の延長線Ｉ上を透過しようとする透過音ＴＳを、外装材１０に内装された縦仕切材２２において遮音できる。この結果、延長線Ｉ上にある受音点Ｂ、例えば、建屋３５０においても、減音効果を得ることが可能となる。
【００４０】
さらに、吸音パネル１は、正面板１１の略全体、及び背面板１２の略全体のそれぞれが音透過面である。このため、吸音パネル１の上縁近傍を回折しようとする回折音ＤＳについても、減音効果を得ることができる。これにより、防音壁１００の側方及び下方にある受音点Ａ、例えば、防音壁の側方及び下方にある建屋３００の住民及び利用者等に対しても、吸音パネル１による減音効果が得られる。しかも、吸音パネル１では、第３開口部１６ｃが天面部１４に設けられている。これにより、天面部１４の、例えば略全体が、更なる音透過面となる。天面部１４は、正面板１１と背面板１２との間にあり、正面側上縁角部１９ａと背面側上縁角部１９ｂとをつなぐ。このため、天面部１４に開口部が設けられていない場合に比較して、吸音パネル１の上部における吸音可能な距離を長くすることができる。吸音可能な距離が長くなる結果、回折音ＤＳの減音効果を、更に高めることができる。なお、上述した参考例に係る吸音パネル１ｒでは、音を透過させる開口部については、天面部に設けられていない。
【００４１】
このような吸音パネル１によれば、正面板１１の略全体、背面板１２の略全体、天面部１４の略全体のそれぞれが音透過面となることで、高架橋２００下の住民に影響を与える回折音ＤＳを吸音できるほか、縦仕切材２２が外装材１０に内装されているので、この部分が遮音板の機能も有することから、高架橋２００の路面より上方に位置する住民に影響を与える透過音ＴＳについても減音できる。
【００４２】
したがって、第１実施形態によれば、音源ＳＳの側方及び下方、並びに音源ＳＳ〜防音壁１００の最上段に設置された吸音パネル１の延長線上のそれぞれの受音点に対して、減音効果を同時に得られる吸音パネル１を得ることができる。
【００４３】
また、第１実施形態によれば、そのような吸音パネル１を備えた防音壁１００や、吸音パネル１を最上段に備え、中間吸音パネル３を上下方向Ｚに少なくとも１段並べた防音壁１００を得ることができる。
【００４４】
このような吸音パネル１、及び吸音パネル１を備えた防音壁１００は、例えば、自動車等が走行する道路、橋梁等に有効に用いることができ、しかも、騒音を、都市部、平野部、山間部、及び掘割部等まで、様々な箇所において低減させることができる。もちろん、吸音パネル１、及び吸音パネル１を備えた防音壁１００は、自動車等が走行する道路に限らず、軌道式、索道式、及び浮上式鉄道等が走行する各種鉄道軌道や、近隣住民に配慮した騒音対策が求められる工場・学校・保育所などの騒音発生源にも適用することができる。
【００４５】
（第２実施形態）
図８は、この発明の第２実施形態に係る吸音パネルの一例を示す模式断面図である。図８に示す模式断面は、図２に示した模式断面に対応する。
【００４６】
図８に示すように、第２実施形態に係る吸音パネル１ｂが、吸音パネル１と異なるところは、縦仕切材２２が、底面部１５に接して外装材１０に内装されて、天面部１４と底面部１５との間の途中まで設けられていることである。縦仕切材２２は、天面部１４と接していないか、又は接していない箇所を有する。これにより、吸音パネル１ｂは、縦仕切材２２の上面と天面部１４との間に隙間を有することとなる。隙間の一例は、第１平面方向Ｘに沿って、例えば、吸音パネル１の一方の側端から他方の側端まで設けられる、である。吸音パネル１ｂは隙間を有することで、縦仕切材２２の上下方向Ｚに沿った高さが、正面板１１の上下方向Ｚに沿った高さ、及び背面板１２の上下方向Ｚに沿った高さのそれぞれよりも、例えば低くなる。
【００４７】
また、吸音パネル１ｂでは、吸音材を、単一吸音材２とすることもできる。この場合、隙間の第１平面方向Ｘに沿った幅は、単一吸音材２の第１平面方向Ｘに沿った幅よりも、例えば、広くされる。単一吸音材２は、縦仕切材２２の上面上において、隙間を介して曲折されつつ、正面板１１と縦仕切材２２との間、縦仕切材２２の上面と天面部１４との間、及び背面板１２と縦仕切材２２との間のそれぞれに位置される。
【００４８】
このような吸音パネル１ｂによれば、吸音パネル１と同様の利点を得ることができる。さらに、吸音パネル１ｂによれば、吸音パネル１のように、縦仕切材２２が天面部１４及び底面部１５のそれぞれと接している場合と比較して、縦仕切材２２の上下方向Ｚに沿った高さを低くできる。このため、縦仕切材２２の重量を軽くできる。これにより、吸音パネル１ｂでは、吸音パネル１と比較して、軽量化を図ることができる。吸音パネル１ｂの軽量化が図られることで、例えば、防音壁１００の最上段に対する吸音パネル１ｂの設置に際して、現場作業者の労力を軽減することが可能となる。このように、吸音パネル１ｂによれば、防音壁１００の設置工事に際して、工事の作業性を向上できる、という利点を得ることができる。
【００４９】
さらに、吸音パネル１ｂでは、吸音パネル１よりも、縦仕切材２２の小型化も推進できる。これにより、吸音パネル１ｂでは、例えば、金属等の使用量を減ずることもでき、資源効率が向上する、という利点を得ることができる。
【００５０】
また、吸音パネル１ｂによれば、例えば、第１実施形態では第１吸音材２ａ、及び第２吸音材２ｂの２つが必要であったところを、単一吸音材２の１つにできる。これにより、吸音パネル１ｂでは、吸音パネル１と比較して、パーツ数を減らすことができる。パーツ数が減ることで、吸音パネル１ｂでは、吸音パネル１と比較して、例えば、製造コストの削減が可能となる、という利点をも得ることができる。
【００５１】
このような吸音パネル１ｂは、例えば、以下のようにして製造することができる。
まず、例えば、底面部１５及び縦仕切材２２のそれぞれを有した正面板１１と、例えば、天面部１４を有した背面板１２と、単一吸音材２と、を準備する。縦仕切材２２は、例えば、底面部１５に取り付けられている。
【００５２】
次に、単一吸音材２を、正面板１１と縦仕切材２２との間に挿入する。次に、単一吸音材２を、例えば、縦仕切材２２の上面を支点として底面部１５に向かってＵ字形に折り曲げる。次に、天面部１４を有した背面板１２を単一吸音材２に被せる。次に、背面板１２の天面部１４を正面板１１に、例えば、ねじ止め等により取り付け、正面板１１の底面部１５を背面板１２に、例えば、ねじ止め等により取り付ける。
【００５３】
吸音パネル１ｂは、例えば、このようにして製造することができる。なお、上述した製造方法では、正面板１１が底面部１５及び縦仕切材２２のそれぞれを有し、背面板１２が天面部１４を有していた。これは反対に、背面板１２が底面部１５及び縦仕切材２２のそれぞれを有し、正面板１１が天面部１４を有していてもよい。また、底面部１５は、縦仕切材２２が取り付けられた底板であってもよい。
【００５４】
（第３実施形態）
図９は、この発明の第３実施形態に係る吸音パネルの一例を示す模式断面図である。図９に示す模式断面は、図２に示した模式断面に対応する。
【００５５】
図９に示すように、第３実施形態に係る吸音パネル１ｃが、吸音パネル１ｂと異なるところは、単一吸音材２に代えて、第１吸音材２ａ、第１吸音材２ａとは別の第２吸音材２ｂ、第１、第２吸音材２ａ及び２ｂのそれぞれとは別の第３吸音材２ｃと、を含むこと、である。
【００５６】
第１吸音材２ａは、正面板１１と縦仕切材２２との間に位置する。第２吸音材２ｂは、背面板１２部と縦仕切材２２との間に位置する。第３吸音材２ｃは、第１吸音材２ａの上面、縦仕切材２２の上面、及び第２吸音材２ｂの上面のそれぞれと天面部１４との間に位置する。
【００５７】
吸音パネル１ｃの上方部分２３ａには、縦仕切材２２がない。これにより、吸音パネル１ｃは、例えば、上方部分２３ａと、縦仕切材２２がある、例えば、下方部分２３ｂとの２つの部分に区分することができる。上方部分２３ａと、下方部分２３ｂとでは、吸音材を別々とすることが可能である。したがって、吸音パネル１ｃのように、外装材１０に、縦仕切材２２の上面と天面部１４との間の隙間を介して内装される第３吸音材２ｃは、第１、第２吸音材２ａ及び２ｂのそれぞれとは別となっていてもよい。
【００５８】
また、第３吸音材２ｃを、第１、第２吸音材２ａ及び２ｂのそれぞれと別とした場合には、第３吸音材２ｃの密度を、第１吸音材２ａ及び第２吸音材２ｂのそれぞれと変えることが可能となる。
【００５９】
例えば、第１吸音材２ａの密度を“ρａ”、第２吸音材２ｂの密度を“ρｂ”、及び第３吸音材２ｃの密度を“ρｃ”とする。吸音材の密度が大きいと、吸音効果が高まる傾向が見られる。この傾向に従って、第３吸音材２ｃの密度ρｃを、第１吸音材２ａの密度ρａ、及び第２吸音材２ｂの密度ρｂのそれぞれよりも大きくする（ρｃ＞ρａ、及びρｃ＞ρｂ）。
【００６０】
このように密度ρｃを、密度ρａ及びρｂのそれぞれよりも大きくした場合には、第３吸音材２が、第１、第２吸音材２ａ及び２ｂのそれぞれと、密度が略等しい場合と比較して、吸音パネル１ｃの上縁近傍で回折した回折音ＤＳの吸音効果を、より高めることができる、という利点を、さらに得ることができる。なお、吸音パネル１ｃでは、密度ρａは、密度ρｂと、例えば、同じであると仮定している（ρａ＝ρｂ）。しかし、密度ρａは、密度ρｂと異なっていてもよい（ρａ≠ρｂ）。
【００６１】
（第４実施形態）
図１０は、この発明の第４実施形態に係る吸音パネルの一例を示す模式断面図である。図１０に示す模式断面は、図２に示した模式断面に対応する。
【００６２】
図１０に示すように、第４実施形態に係る吸音パネル１ｄが、吸音パネル１ｃと異なるところは、外装材１０の空間の中に、第２平面方向Ｙに設けられた横仕切材２３を、さらに備えていること、である。横仕切材２３も、縦仕切材２２と同様に、金属製の板状部材、ゴム製や鉛製のシート状部材、及び高密度の布製の部材（例えば防音カーテン、遮音カーテン）等を用いることができる。本実施形態では、金属製の板状部材を用いた場合で説明する。横仕切材２３は、正面板１１と縦仕切材２２の上面とをつなぎ、そして、第１吸音材２ａの上面と第３吸音材２ｃの下面との間に位置する。なお、横仕切材２３は、背面板１２と、縦仕切材２２の、例えば、上面とをつなぐことも可能である。また、横仕切材２３は、縦仕切材２２の上部側面から正面板１１や背面板１２とつなぐことも可能である。
【００６３】
吸音パネル１ｄのように、正面板１１と、縦仕切材２２の、例えば、上面とを、横仕切材２３によってつなぐと、縦仕切材２２で反射した音を、横仕切材２３によって、正面板１１側で、しかも、音源ＳＳに向かって反射させることができる。これにより、受音点Ｂにおける騒音を、さらに減音することが可能となる。このような利点は、例えば、横仕切材２３を、少なくとも第１吸音材２ａの上面と、第３吸音材２ｃの下面との間に位置させることにより、得ることができる。
【００６４】
また、横仕切材２３を、外装材１０による空間の中に、さらに備えている場合においても、第３吸音材２ｃの密度ρｃを、第１吸音材２ａの密度ρａ、及び第２吸音材２ｂの密度ρｂのそれぞれよりも大きくすることが可能である（ρｃ＞ρａ、及びρｃ＞ρｂ）。
【００６５】
（第５実施形態）
図１１は、この発明の第５実施形態に係る吸音パネルの一例を示す模式断面図である。図１１に示す模式断面は、図２に示した模式断面に対応する。
【００６６】
図１１に示すように、第５実施形態に係る吸音パネル１ｅが、吸音パネル１ｃと異なるところは、張出部２４が、吸音パネル１ｅの上部に設けられていること、である。張出部２４は、吸音パネル１ｅの下部よりも背面側に突出する。吸音パネル１ｅでは、例えば、天面部１４の第２平面方向Ｙに沿った厚さＴ１が、底面部１５の第２平面方向に沿った厚さＴ２よりも大きい。第３吸音材２ｃは、張出部２４に配置されている。
【００６７】
吸音パネル１ｅの上縁近傍で回折した回折音ＤＳの吸音効果は、例えば、天面部１４に沿って存在する吸音材の厚さが厚いほど高まる。これは、吸音パネル１ｅの天面部１４に第３開口部１６ｃを設け、天面部１４を吸音部分としたとき、吸音部分が長くなるためである。この傾向に従って、張出部２４を吸音パネル１ｅの上部に設け、第３吸音材２ｃを、張出部２４の空間の中に第２平面方向Ｙに沿って、例えば、張出部２４の空間の全体に配置する。これにより、吸音パネル１ｅでは、例えば、吸音パネル１ｃと比較して、吸音部分が長くなり、回折音ＤＳの吸音効果を、より高めることができる。
【００６８】
また、吸音パネル１ｅの張出部２４は、背面板１２の方向に向かって背面側に突出させるとよい。これにより、張出部２４は、路面側に突出しなくなり、例えば、吸音パネル１ｅと車両との接触や、車両の走行を妨げることがなくなる。
【００６９】
このような吸音パネル１ｅでは、回折音ＤＳの吸音効果を向上させつつも、防音壁１００の最上段に設置した際、安全性が維持された防音壁１００が得られる、という利点を得ることができる。
【００７０】
また、第４開口部１６ｄを、張出部２４の下面に、さらに設けることも可能である。第４開口部１６ｄを、張出部２４の下面に設けると、張出部２４の下面も吸音部分とすることができる。これにより、張出部２４の第２平面方向Ｙに延びる下面と、張出部２４の上下方向Ｚに延びる背面とが交わる角部で発生するような回折音ＤＳを、張出部２４の下面において、さらに吸音できる。この結果、背面側に突出した張出部２４が設けられた吸音パネル１ｅにおいて、第４開口部１６ｄがない場合と比較して、例えば、防音壁１００の側方及び下方にある受音点Ａにおいて、回折音ＤＳに対する減音効果を、さらに高めることができる、という利点を、さらに得ることができる。
【００７１】
（第６実施形態）
図１２は、この発明の第６実施形態に係る吸音パネルの一例を示す模式断面図である。図１２に示す模式断面は、図２に示した模式断面に対応する。
【００７２】
図１２に示すように、第６実施形態に係る吸音パネル１ｆが、吸音パネル１と異なるところは、第１開口部１６ａの形状が、ルーバー形状であること、である。
【００７３】
吸音パネル１ｆは、防音壁１００の最上段に配置されるので、車両等からの騒音は吸音パネル１ｆの正面から見て下方から発せされる。第１開口部１６ａをルーバー形状とすることにより、吸音パネル１ｆの下方から発せられる音を、効率良く第１開口部１６ａから取り込むことが可能となり、吸音性が向上する。
【００７４】
また、ルーバー形状では、第１開口部１６ａ上に庇状の部位があるので、雨水等が、外装材１０の内部へと浸入し難くなる、という利点もある。
【００７５】
なお、第６実施形態は、第１実施形態の他、第２実施形態〜第５実施形態のいずれとも組み合わせることが可能である。
【００７６】
（第７実施形態）
図１３（ａ）〜図１３（ｃ）は、この発明の第７実施形態に係る吸音パネルの例を示す模式断面図である。図１３（ａ）〜図１３（ｃ）に示す模式断面は、図２に示した模式断面に対応する。
【００７７】
＜第７実施形態：第１例＞
図１３（ａ）に示すように、第７実施形態の第１例に係る吸音パネル１ｇａが、吸音パネル１と異なるところは、第１吸音材２ａ及び第２吸音材２ｂのそれぞれの表面が、通気性を有する撥水部材２１で覆われていることである。
【００７８】
第３開口部１６ｃが、天面部１４に設けられている場合、雨水等が第３開口部１６ｃから第１吸音材２ａ及び第２吸音材２ｂのそれぞれに浸透し、吸音性能を低下させる可能性がある。このような事情に対して、第１吸音材２ａ及び第２吸音材２ｂのそれぞれの表面を、通気性を有する撥水部材２１で覆うことで、第１吸音材２ａ及び第２吸音材２ｂへの雨水等の浸透を防止でき、吸音性能を維持することができる。また、図示していないが、外装材の天面部１４が無い場合でも、第１吸音材２ａ及び第２吸音材２ｂのそれぞれの少なくとも上部の表面を、通気性を有する撥水部材２１で覆うことで、第１吸音材２ａ及び第２吸音材２ｂへの雨水等の浸透を防止でき、吸音性能を維持することができる。このことは、後述する第８実施形態及び第９実施形態においても同様である。
【００７９】
撥水部材２１は、例えば、第１吸音材２ａの表層、及び第２吸音材２ｂの表層のそれぞれを撥水処理するか、第１吸音材２ａの表面、及び第２吸音材２ｂの表面のそれぞれを、
撥水性のある布等で覆うことで得ることができる。
【００８０】
また、吸音パネル１ｇａの撥水部材２１は、第１吸音材２ａ及び第２吸音材２ｂそれぞれの、例えば、略全ての表面を覆うようにした。しかし、撥水部材２１は、第１吸音材２ａ及び第２吸音材２ｂそれぞれの少なくとも天面部１４と対向する表面を覆っていればよい。このようにしても、雨水等の浸透による吸音性能の低下を抑制することができる。
【００８１】
＜第７実施形態：第２例＞
図１３（ｂ）に示すように、第７実施形態の第２例に係る吸音パネル１ｇｂが、吸音パネル１と異なるところは、第１吸音材２ａ及び第２吸音材２ｂのそれぞれが、天面部１４と接することである。
【００８２】
第３開口部１６ｃが、天面部１４に設けられている場合、第１吸音材２ａ及び第２吸音材２ｂのそれぞれと、天面部１４との間に隙間があると、その隙間から雨水等が吸音パネルｇｂの内部に入り込み、滞水し、外装材１０の腐食や第１吸音材２ａ及び第２吸音材２ｂの劣化を招く可能性がある。例えば、第１吸音材２ａ及び第２吸音材２ｂのそれぞれと、天面部１４とを接するようにして、第１吸音材２ａ及び第２吸音材２ｂのそれぞれと、天面部１４との間に隙間を設けないようにすることで、隙間への滞水を抑制でき、滞水した雨水等が吸音パネル１ｇｂの内部に入り込むことを防止することができる。このようにしても、吸音性能を維持することができる。
【００８３】
＜第７実施形態：第３例＞
図１３（ｃ）に示すように、第７実施形態の第３例に係る吸音パネル１ｇｃが、吸音パネル１ｇｂと異なるところは、少なくとも天面部１４と対向する表面が、通気性を有する撥水部材２１で覆われた第１、第２吸音材２ａ及び２ｂが、天面部１４と接することである。このように、第１例と第２例とを組み合わせることも可能である。
【００８４】
吸音パネル１ｇｃによれば、天面部１４と対向する表面が、通気性を有する撥水部材２１で覆われた第１、第２吸音材２ａ及び２ｂと、天面部１４とが接するので、隙間への滞水を抑制でき、かつ、第１、第２吸音材２ａ及び２ｂのそれぞれの表面が撥水性であるので、吸音性能を、さらに良好に維持することができる。
【００８５】
（第８実施形態）
図１４（ａ）〜図１４（ｃ）は、この発明の第８実施形態に係る吸音パネルの例を示す模式断面図である。図１４（ａ）〜図１４（ｃ）に示す模式断面は、図８に示した吸音パネル１ｂの天面部１４の近傍の模式断面に対応する。
【００８６】
＜第８実施形態：第１例＞
図１４（ａ）に示すように、第８実施形態の第１例に係る吸音パネル１ｈａが、吸音パネル１ｂと異なるところは、単一吸音材２の少なくとも天面部１４と対向する表面が、通気性を有する撥水部材２１で覆われていることである。
【００８７】
吸音パネル１ｈａのように、第２実施形態と、第７実施形態の第１例とを組み合わせることも可能である。
【００８８】
吸音パネル１ｈａによれば、第２実施形態に係る吸音パネル１ｂと同様の利点が得られるとともに、吸音パネル１ｇａのように、雨水等の浸透による吸音性能の低下を抑制することができる、という利点を得ることができる。
【００８９】
＜第８実施形態：第２例＞
図１４（ｂ）に示すように、第８実施形態の第２例に係る吸音パネル１ｈｂが、吸音パネル１ｂと異なるところは、単一吸音材２が、天面部１４と接することである。
【００９０】
吸音パネル１ｈｂのように、第２実施形態と、第７実施形態の第２例とを組み合わせることも可能である。
【００９１】
吸音パネル１ｈｂによれば、第２実施形態に係る吸音パネル１ｂと同様の利点が得られるとともに、吸音パネル１ｇｂのように、隙間への滞水を抑制でき、滞水した雨水等が吸音パネル１ｈｂの内部に入り込むことを防止することができる、という利点を得ることができる。
【００９２】
＜第８実施形態：第３例＞
図１４（ｃ）に示すように、第８実施形態の第３例に係る吸音パネル１ｈｃが、吸音パネル１ｈｂと異なるところは、少なくとも天面部１４と対向する表面が、通気性を有する撥水部材２１で覆われた単一吸音材２が、天面部１４と接することである。
【００９３】
吸音パネル１ｈｃのように、第２実施形態と、第７実施形態の第３例とを組み合わせることも可能である。
【００９４】
吸音パネル１ｈｃによれば、第２実施形態に係る吸音パネル１ｂと同様の利点が得られるとともに、吸音パネル１ｇｃのように、隙間への滞水を抑制でき、かつ、単一吸音材２の表面が撥水性であるので、吸音性能を、さらに良好に維持することができる、という利点を得ることができる。
【００９５】
（第９実施形態）
図１５（ａ）〜図１５（ｃ）は、この発明の第９実施形態に係る吸音パネルの例を示す模式断面図である。図１５（ａ）〜図１５（ｃ）に示す模式断面は、図９に示した吸音パネル１ｃの天面部１４の近傍の模式断面に対応する。
【００９６】
＜第９実施形態：第１例＞
図１５（ａ）に示すように、第９実施形態の第１例に係る吸音パネル１ｉａが、吸音パネル１ｃと異なるところは、第３吸音材２ｃの少なくとも天面部１４と対向する表面が、通気性を有する撥水部材２１で覆われていることである。
【００９７】
吸音パネル１ｉａのように、第３実施形態と、第７実施形態の第１例とを組み合わせることも可能である。
【００９８】
吸音パネル１ｉａによれば、第３実施形態に係る吸音パネル１ｃと同様の利点が得られるとともに、吸音パネル１ｇａのように、雨水等の浸透による吸音性能の低下を抑制することができる、という利点を得ることができる。
【００９９】
＜第９実施形態：第２例＞
図１５（ｂ）に示すように、第９実施形態の第２例に係る吸音パネル１ｉｂが、吸音パネル１ｃと異なるところは、第３吸音材２ｃが、天面部１４と接することである。
【０１００】
吸音パネル１ｉｂのように、第３実施形態と、第７実施形態の第２例とを組み合わせることも可能である。
【０１０１】
吸音パネル１ｉｂによれば、第３実施形態に係る吸音パネル１ｃと同様の利点が得られるとともに、吸音パネル１ｇｂのように、隙間への滞水を抑制でき、滞水した雨水等が吸音パネル１ｉｂの内部に入り込むことを防止することができる、という利点を得ることができる。
【０１０２】
＜第９実施形態：第３例＞
図１５（ｃ）に示すように、第９実施形態の第３例に係る吸音パネル１ｉｃが、吸音パネル１ｉｂと異なるところは、少なくとも天面部１４と対向する表面が、通気性を有する撥水部材２１で覆われた第３吸音材２ｃが、天面部１４と接することである。
【０１０３】
吸音パネル１ｉｃのように、第３実施形態と、第７実施形態の第３例とを組み合わせることも可能である。
【０１０４】
吸音パネル１ｉｃによれば、第３実施形態に係る吸音パネル１ｃと同様の利点が得られるとともに、吸音パネル１ｇｃのように、隙間への滞水を抑制でき、かつ、単一吸音材２の表面が撥水性であるので、吸音性能を、さらに良好に維持することができる、という利点を得ることができる。
【０１０５】
なお、第７実施形態〜第９実施形態の各例のそれぞれは、第６実施形態と組み合わせることも可能である。
【０１０６】
上述の実施形態により説明されたように、この発明の実施形態によれば、音源の側方及び下方、並びに音源〜防音壁の最上段に設置された吸音パネルの延長線上のそれぞれに対して、減音効果が得られる吸音パネルを提供できる。
【０１０７】
以上、この発明の実施形態のいくつかを説明したが、これらの実施形態は例として提示したものであり、発明の範囲を限定することは意図していない。例えば、図４や図５に中間吸音パネル３を例示しているが、当該パネルとして透光板やコンクリート板など他のパネルを用いてもよい。また、これらの実施形態は、適宜組み合わせて実施することが可能である。さらに、この発明は、上記いくつかの実施形態の他、様々な新規な形態で実施することができる。したがって、上記いくつかの実施形態のそれぞれは、この発明の要旨を逸脱しない範囲で、種々の省略、置き換え、変更が可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【０１０８】
１      ：吸音パネル（第１実施形態）
１ｂ    ：吸音パネル（第２実施形態）
１ｃ    ：吸音パネル（第３実施形態）
１ｄ    ：吸音パネル（第４実施形態）
１ｅ    ：吸音パネル（第５実施形態）
１ｆ    ：吸音パネル（第６実施形態）
１ｇａ〜１ｇｃ：吸音パネル（第７実施形態：第１例〜第３例）
１ｈａ〜１ｈｃ：吸音パネル（第８実施形態：第１例〜第３例）
１ｉａ〜１ｉｃ：吸音パネル（第９実施形態：第１例〜第３例）
１０    ：外装材
１１  ：正面板（正面部）
１２  ：背面板（背面部）
１４  ：天面部
１５  ：底面部
１６ａ：第１開口部
１６ｂ：第２開口部
１６ｃ：第３開口部
１６ｄ：第４開口部
１９ａ：正面側上縁角部
１９ｂ：背面側上縁角部
１ｒ    ：吸音パネル（参考例）
１１ｒ：正面版
１２ｒ：背面板
２      ：単一吸音材
２ａ    ：第１吸音材
２ｂ    ：第２吸音材
２ｃ    ：第３吸音材
２１  ：撥水部材
２２  ：縦仕切材
２３  ：横仕切材
２３ａ：上方部分
２３ｂ：下方部分
２４  ：張出部
３      ：中間吸音パネル
３１  ：正面板（正面部）
３２  ：背面板（背面部）
３６  ：第４開口部
４      ：支柱
１００  ：防音壁（第１実施形態）
１００ｒ：防音壁（参考例）
１５０  ：壁高欄
２００  ：高架橋
２０１：高架橋の壁高欄
３００  ：建屋
３５０  ：建屋
Ｔ１    ：天面部１４の第２平面方向Ｙに沿った厚さ
Ｔ２    ：底面部１５の第２平面方向Ｙに沿った厚さ
ＤＳ    ：回折音
ＴＳ    ：透過音
ＳＳ    ：音源
Ｉ      ：延長線
【図１】
2020133281.tif 000003
【図２】
2020133281.tif 000004
【図３】
2020133281.tif 000005
【図４】
2020133281.tif 000006
【図５】
2020133281.tif 000007
【図６】
2020133281.tif 000008
【図７】
2020133281.tif 000009
【図８】
2020133281.tif 000010
【図９】
2020133281.tif 000011
【図１０】
2020133281.tif 000012
【図１１】
2020133281.tif 000013
【図１２】
2020133281.tif 000014
【図１３】
2020133281.tif 000015
【図１４】
2020133281.tif 000016
【図１５】
2020133281.tif 000017